(57)【要約】      （修正有）【課題】清掃効果の高い清掃具を提供する。【解決手段】清掃シート１００と、これを保持する保持具２００からなる清掃具Ａに於いて、保持具２００は、清掃シート１００を保持するために長手方向Ｙへ延びる保持部２２０と、保持部２２０に連結されてユーザに把持される把持部２１０とを有し、保持部２２０は、弾性を有する弾性体により形成され、弾性体は、全方向において弾性を有する。【選択図】図１
2014150974.tif 000002
【特許請求の範囲】
【請求項１】
清掃シートと、前記清掃シートを保持する保持具とを有する清掃具において、
前記清掃具は、当該保持具を前記清掃シートに挿入する方向によって規定される長手方向と、前記長手方向と交差する方向によって規定される長手交差方向の双方に延在するように構成され、
前記清掃シートは、清掃対象を清掃可能に構成された刷毛部と、前記刷毛部が接続される基部と、当該基部に形成されて、前記保持部が挿入される挿入部とを有し、
前記保持具は、前記清掃シートを保持するために前記長手方向へ延びる保持部と、前記保持部に連結されてユーザに把持される把持部とを有し、
前記保持部は、弾性を有する弾性体により形成され、当該弾性体は、全方向において弾性を有することを特徴とする清掃具。
【請求項２】
請求項１に記載された清掃具において、
前記弾性体は、外郭体により形成され、当該外郭体は弾性を有する合成樹脂により形成されていることを特徴とする清掃具。
【請求項３】
請求項１または２のいずれか１項に記載された清掃具において、
前記外郭体は、第１の外郭体と第２の外郭体とを有し、前記第１の外郭体と前記第２の外郭体とは、外郭体接合部により接合されることを特徴とする清掃具
【請求項４】
請求項３に記載された清掃具において、
前記外郭体接合部は、前記第１の外郭体と前記第２の外郭体とにおける一方の端部同士を接合する第１の外郭体接合部と、前記第１の外郭体と前記第２の外郭体とにおける他方の端部同士を接合する第２の外郭体接合部とにより形成されることを特徴とする清掃具。
【請求項５】
請求項４に記載された清掃具において、
前記第１の外郭体接合部は、前記第１の外郭体と前記第２の外郭体とにおける前記一方の端部同士を連結するヒンジ部により形成されることを特徴とする清掃具。
【請求項６】
請求項４または５のいずれか１項に記載された清掃具において、
前記第２の外郭体接合部は、前記第１の外郭体と前記第２の外郭体とにおける前記他方の端部同士を係合する係合部により形成されることを特徴とする清掃具。
【請求項７】
請求項１〜６のいずれか１項に記載された清掃具において、
前記外郭体は、網目状の構造を有することを特徴とする清掃具。
【請求項８】
請求項１〜６のいずれかに１項に記載された清掃具において、
前記外郭体は、発泡体により形成されていることを特徴とする清掃具。
【請求項９】
請求項１〜８のいずれか1項に記載された清掃具において、
前記外郭体は、中空構造であることを特徴とする清掃具。
【請求項１０】
請求項１〜９のいずれか１項に記載された清掃具において、
前記把持部には把持係合部が形成され、
前記保持部には保持係合部が形成され、
前記把持係合部と前記保持係合部とは互いに係合することを特徴とする清掃具。
【請求項１１】
請求項１〜１０に記載された清掃具において、
前記清掃シートは、基部と、繊維集合体と、前記基部と前記繊維集合体とを接合する積層体接合部とからなる刷毛シートにより形成されることを特徴とする清掃具。
【請求項１２】
請求項１１に記載された清掃具において、
前記清掃シートは、前記刷毛シートの長手方向における所定の面同士を当接させ第１の当接領域を形成するとともに、当該第１の当接領域における前記所定の面同士を接合することにより形成されることを特徴とする清掃具。
【請求項１３】
請求項１１または１２のいずれか１項に記載された清掃具において、
前記清掃シートは、前記刷毛シートの長手交差方向における所定の面同士を当接させ第２の当接領域を形成するとともに、当該第２の当接領域における所定の面同士を接合することにより形成されることを特徴とする清掃具。
【請求項１４】
請求項１１に記載された清掃具において、
前記清掃シートを構成する刷毛シートは、第１の刷毛シートと第２の刷毛シートとからなることを特徴とする清掃具。
【請求項１５】
請求項１４に記載された清掃具において、
前記清掃シートは、前記第１の刷毛シートと前記第２の刷毛シートの長手方向における所定の面同士を当接させ前記第１の当接領域を形成することを特徴とする清掃具。
【請求項１６】
請求項１４に記載された清掃具において、
前記清掃シートは、前記第１の刷毛シートと前記第２の刷毛シートの長手交差方向における所定の面同士を当接させ前記第２の当接領域を形成することを特徴とする清掃具。
【発明の詳細な説明】
【技術分野】
【０００１】
本発明は、清掃対象を清掃するための清掃具に関する。
【背景技術】
【０００２】
特開２００８−００６２６０号公報には、繊維層と掻き出し用シートとを備える清掃用物品が記載されている。この清掃用物品は、把手の挿入部に取り付けられて使用される。
【先行技術文献】
【特許文献】
【０００３】
【特許文献１】特開２００８−００６２６０号公報
【発明の概要】
【発明が解決しようとする課題】
【０００４】
特開２００８−００６２６０号公報に記載された清掃用物品は、把手の挿入部が扁平形状であった。よって、繊維層における把手の挿入部側の部分を、清掃作業において有効に活用することができなかった。
そこで、本発明は上記に鑑み、清掃効果の高い清掃具を提供することを目的とする。
【課題を解決するための手段】
【０００５】
上記課題を解決するため、本発明に係る清掃具の好ましい形態によれば、清掃シートと、前記清掃シートを保持する保持具とを有する清掃具において、前記清掃具は、当該保持具を前記清掃シートに挿入する方向によって規定される長手方向と、前記長手方向と交差する方向によって規定される長手交差方向の双方に延在するように構成され、前記清掃シートは、清掃対象を清掃可能に構成された刷毛部と、前記刷毛部が接続される基部と、当該基部に形成されて、前記保持部が挿入される挿入部とを有し、前記保持具は、前記清掃シートを保持するために前記長手方向へ延びる保持部と、前記保持部に連結されてユーザに把持される把持部とを有し、前記保持部は、弾性を有する弾性体により形成され、当該弾性体は、全方向において弾性を有する。
【０００６】
本発明に係る清掃具の更なる形態によれば、前記弾性体は、外郭体により形成され、当該外郭体は弾性を有する合成樹脂により形成されている。
【０００７】
本発明に係る清掃具の更なる形態によれば、前記外郭体は、第１の外郭体と第２の外郭体とを有し、前記第１の外郭体と前記第２の外郭体とは、外郭体接合部により接合される。
【０００８】
本発明に係る清掃具の更なる形態によれば、前記外郭体接合部は、前記第１の外郭体と前記第２の外郭体とにおける一方の端部同士を接合する第１の外郭体接合部と、前記第１の外郭体と前記第２の外郭体とにおける他方の端部同士を接合する第２の外郭体接合部とにより形成される。
【０００９】
本発明に係る清掃具の更なる形態によれば、前記第１の外郭体接合部は、前記第１の外郭体と前記第２の外郭体とにおける前記一方の端部同士を連結するヒンジ部により形成される。
【００１０】
本発明に係る清掃具の更なる形態によれば、前記第２の外郭体接合部は、前記第１の外郭体と前記第２の外郭体とにおける前記他方の端部同士を係合する係合部により形成される。
【００１１】
本発明に係る清掃具の更なる形態によれば、前記外郭体は、網目状の構造を有する。
【００１２】
本発明に係る清掃具の更なる形態によれば、前記外郭体は、発泡体により形成されている。
【００１３】
本発明に係る清掃具の更なる形態によれば、前記外郭体は、中空構造である。
【００１４】
本発明に係る清掃具の更なる形態によれば、前記把持部には把持係合部が形成され、前記保持部には保持係合部が形成され、前記把持係合部と前記保持係合部とは互いに係合する。
【００１５】
本発明に係る清掃具の更なる形態によれば、前記清掃シートは、基部と、繊維集合体と、前記基部と前記繊維集合体とを接合する積層体接合部とからなる刷毛シートにより形成される。
【００１６】
本発明に係る清掃具の更なる形態によれば、前記清掃シートは、前記刷毛シートの長手方向における所定の面同士を当接させ第１の当接領域を形成するとともに、当該第１の当接領域における前記所定の面同士を接合することにより形成される。
【００１７】
本発明に係る清掃具の更なる形態によれば、前記清掃シートは、前記刷毛シートの長手交差方向における所定の面同士を当接させ第２の当接領域を形成するとともに、当該第２の当接領域における所定の面同士を接合することにより形成される。
【００１８】
本発明に係る清掃具の更なる形態によれば、前記清掃シートを構成する刷毛シートは、第１の刷毛シートと第２の刷毛シートとからなる。
【００１９】
本発明に係る清掃具の更なる形態によれば、前記清掃シートは、前記第１の刷毛シートと前記第２の刷毛シートの長手方向における所定の面同士を当接させ前記第１の当接領域を形成する。
【００２０】
本発明に係る清掃具の更なる形態によれば、前記清掃シートは、前記第１の刷毛シートと前記第２の刷毛シートの長手交差方向における所定の面同士を当接させ前記第２の当接領域を形成する。
【発明の効果】
【００２１】
本発明によれば、保持具の保持部が弾性を有する弾性体により形成されるため、清掃効果の高い清掃具を提供することができる。
【図面の簡単な説明】
【００２２】
【図１】本発明の実施形態に係る清掃用具の全体構成を示す斜視図である。
【図２】清掃体ホルダの平面図である。
【図３】清掃体ホルダの説明図である。
【図４】ハンドル部と清掃体保持部の係合状態を示す説明図である。
【図５】図２のＩＸ−ＩＸ線における断面図である。
【図６】清掃体保持部の説明図である。
【図７】外郭体係合部の説明図である。
【図８】開口部方向から見た清掃体の斜視図である。
【図９】閉鎖部方向から見た清掃体の斜視図である。
【図１０】図８のＩＩＸ−ＩＩＸ線における一部断面図である。
【図１１】清掃体ホルダを清掃体に係合させた状態を示す図である。
【図１２】図１のＩＩＩＸ−ＩＩＩＸ線における断面図である。
【図１３】第１の変形例を示す説明図である。
【図１４】第１の変形例を示す説明図である。
【図１５】第２の変形例を示す説明図である。
【図１６】第２の変形例を示す説明図である。
【発明を実施するための形態】
【００２３】
（清掃用具の概略）
以下、本発明の実施形態について、図１〜図１２を参照しつつ詳細に説明する。まず、本発明における「清掃具」の一実施の形態である清掃用具Ａの構成につき説明する。この清掃用具Ａを用いて清掃される清掃対象としては、一戸建て、マンション、ビル、工場、車両等の室内、室外、屋外における被清掃面（床面、壁面、窓、天井面、外壁面、家具面、衣類、カーテン、寝具、照明、家電品等）や、人体の各構成部位における被清掃面等が挙げられる。これら各種の被清掃面は、平面として構成されてもよいし、或いは曲面、凹凸面、段差面として構成されてもよい。
【００２４】
図１に示すように、清掃用具Ａは、清掃体ホルダ２００と清掃体１００で構成されている。清掃体ホルダ２００は、清掃体１００に着脱可能であり、清掃体１００を保持するように構成されている。この清掃用具Ａが本発明における「清掃具」の一例である。この清掃体ホルダ２００が、本発明における「保持具」の一例である。この、清掃体１００が、本発明における「清掃シート」の一例である。
【００２５】
清掃具Ａは、長手方向Ｙと、長手方向Ｙと交差する方向によって規定される長手交差方向Ｘの双方に延在するように構成される。この長手方向Ｙは、清掃体１００に清掃体ホルダ２００を挿入する方向と平行な方向により規定される。この清掃体１００に清掃体ホルダ２００を挿入する方向は、挿入方向Ｙ１とされる。この挿入方向Ｙ１と反対向きの方向は引抜方向Ｙ２とされる。
長手方向Ｙおよび長手交差方向Ｘのそれぞれと交差する方向は、厚み方向Ｚとされる。なお、本発明に係る実施形態の説明において、特別の記載がない限りは、「交差」とは「直交」を意味するものである。
この長手方向Ｙが、本発明における「長手方向」の一例である。この、長手交差方向Ｘが、本発明における「長手交差方向」の一例である。
【００２６】
（清掃体ホルダの構成）
図２に示すように、清掃体ホルダ２００は、ハンドル部２１０および清掃体保持部２２０を主体として構成されている。ハンドル部２１０は、長尺状に形成されており、清掃時にユーザに保持される部材である。ハンドル部２１０は、ハンドル２１１と把持係合部２１２を有している。把持係合部２１２は、清掃体保持部２２０の保持係合部２２１に接合されている。そして、ハンドル２１１は、把持係合部２１２から延在する長尺状に形成されている。このハンドル部２１０が、本発明における「把持部」の一例である。この清掃体保持部２２０が、本発明における「保持部」の一例である。この把持係合部２１２が本発明における「把持係合部」の一例である。この保持係合部２２１が、本発明における「保持係合部」の一例である。
【００２７】
清掃体保持部２２０は、樹脂材料にて成型されており、清掃体１００を保持するための部材である。清掃体保持部２２０は、弾性を有する弾性体２３０により形成される。弾性体２３０は、全方向において弾性を有する。この弾性体２３０は、外郭体２４０により形成される。この弾性体２３０が、本発明に係る「弾性体」の一例である。この外郭体２４０が、本発明に係る「外郭体」の一例である。
具体的には外郭体２４０は、可撓性を有する合成樹脂により形成される。可撓性を有する合成樹脂としては、例えば、ポリプロピレン（ＰＰ）、ポリエチレン（ＰＥ）、ポリエチレンテレフタラート（ＰＥＴ）、アクリロニトリル−ブタジエン−スチレン樹脂（ＡＢＳ）、ポリエステル系の熱可塑性エラストマーを適宜選択することができる。
【００２８】
本発明の実施形態に係る外郭体２４０は、図示しないが、網目状の壁部を有する円筒状の構造体であり、中空構造とされている。また、外郭体２４０は、発泡体により形成することもできる。
なお、外郭体２４０の形状としては、円筒状以外に円柱状、円錐状とすることができる。また、多角形による筒状、多角形による柱状、多角形による錘状とすることもできる。
【００２９】
ここで、「弾性体２３０（清掃体保持部２２０）が全方向において弾性を有する」点につき説明する。例えば、図３に示す通り、外力Ｆにより、弾性体２３０は変形される。このように、弾性体２３０は、弾性体２３０における長手方向Ｙや、長手交差方向Ｘのいずれかの部分に外力Ｆが加わった際に、変形することが可能に形成されている。この際、図３のように弾性体２３０の一部が変形する必要はない。例えば、弾性体２３０における長手方向Ｙの領域や、長手交差方向Ｘの領域が全体的に撓むように変形しても良い。なお、清掃体保持部２２０の全ての部分が「全方向において弾性を有する」必要はない。実質的に、清掃体１００を保持する部分や、実質的に清掃作業に関与する部分が「全方向において弾性を有する」構造とされていれば足りる。
【００３０】
ハンドル部２１０の把持係合部２１２と、清掃体保持部２２０の保持係合部２２１は、互いに着脱自在に係合する。例えば、図４に示すように、把持係合部２１２と、保持係合部２２１とを円筒状とする。そして、把持係合部２１２の内径と、保持係合部２２１の外径とをほぼ同一とする。これにより、把持係合部２１２と、保持係合部２２１を互いに着脱自在な構造とすることができる。
【００３１】
次に、図５〜７に基づき、外郭体２４０の構造につき説明する。
外郭体２４０は、第１の外郭体２４１と第２の外郭体２４２とを有する。第１の外郭体２４１と第２の外郭体２４２とは、外郭体接合部２５０により接合される。
この第１の外郭体２４１が、本発明に係る「第１の外郭体」の一例である。この第２の外郭体２４２が、本発明に係る「第２の外郭体」の一例である。この外郭体接合部２５０が、本発明に係る「外郭体接合部」の一例である。
【００３２】
外郭体接合部２５０は、第１の外郭体２４１の一方の端部２４１Ａと、第２の外郭体２４２の一方の端部２４２Ａとを接合する第１の外郭体接合部２５１を有する。また、外郭体接合部２５０は、第１の外郭体２４１の他方の端部２４１Ｂと、第２の外郭体２４２の他方の端部２４２Ａとを接合する第２の外郭体接合部２５２を有する。
この第１の外郭体接合部２５１が、本発明に係る「第１の外郭体接合部」の一例である。この第２の外郭体接合部２５２が、本発明に係る「第２の外郭体接合部」の一例である。
【００３３】
第１の外郭体接合部２５１は、第１の外郭体２４１と第２の外郭体２４２とを連結するヒンジ部２６０とされている。このヒンジ部２６０は、薄肉部２６１を有する。
第２の外郭体接合部２５２は、第１の外郭体２４１と第２の外郭体２４２を係合する係合部２７０を有する。
このヒンジ部２６０が本発明に係る「ヒンジ部」の一例である。この係合部２７０が本発明に係る「係合部」の一例である。
【００３４】
ヒンジ部２６０と、係合部２７０と、前述した把持係合部２１２と、保持係合部２２１とにより、本発明の実施形態に係る清掃体ホルダ２００は、製品販売時、およびユーザの収納時において使い勝手の良い構成となる。
すなわち、把持係合部２１２と保持係合部２２１の係合状態を解除し、ハンドル部２１０と清掃体保持部２２０を分離することができる。さらに、係合部２７０の係合状態を解除し、第１の外郭体２４１と第２の外郭体２４２をヒンジ部２６０を介して分離することができる。
よって、製品が梱包されるパッケージを小さくすることが可能となる。
【００３５】
外郭体係合部２７０は、第１の外郭体２４１に一体的に設けられた円柱部材２７０Ａと、第２の外郭体２４２に一体的に設けられた係合部材２７０Ｂとからなる。円柱部材２７０Ａと係合部材２７０Ｂとは嵌合され、係合状態を形成する。係合部材２７０Ｂは、円柱部材２７０Ａを嵌合するために略半円形状とされる。なお、円柱部材２７０Ａは連結部２７０Ａ１を介して第１の外郭体２４１に設けられる。係合部材２７０Ｂは、連結部２７０Ｂ１を介して第２の外郭体２４２に設けられる。
【００３６】
なお、本発明に係る実施形態では、第１の外郭体接合部２５１をヒンジ部２６０としたが、外郭体係合部２７０とすることも可能である。この場合は、第１の外郭体接合部２５１と第２の外郭体接合部２５２がそれぞれ外郭体係合部２７０とされる。このような構成においては、第１の外郭体接合部２５１と第２の外郭体接合部２５２における外郭体係合部２７０の係合状態を解除することにより、第１の外郭体２４１と第２の外郭体２４２を完全に分離することが可能となる。
また、外郭体係合部２７０として、円柱部材２７０Ａと係合部材２７０Ｂとによる構成を説明したが、外郭体係合部２７０を他の構成とすることができる。例えば、フック部を有するファスニングテープと、このフック部に係合可能なループを有するループファスナを使用することができる。すなわち、外郭体係合部２７０は、着脱自在に構成される周知の構成を適宜選択できるものである。
【００３７】
（清掃体の構成）
次に図８〜図１０を参照しつつ、清掃体１００について説明する。清掃体１００は、清掃対象の塵芥等の汚れを捕集する、汚れ捕集機能を有するシート状の清掃体である。図８、図９に示すように、清掃体１００は、長手方向Ｙ上の端部１００Ｙ２に開口部１３１を有し、長手方向Ｙ上の端部１００Ｙ１に閉鎖部１３２を有する。よって、清掃体１００は袋状とされる。清掃体１００における開口部１３１と閉鎖部１３２との間は、清掃体ホルダ２００の清掃体保持部２２０が挿入される保持空間１３０とされる。この保持空間１３０が、本発明に係る「挿入部」の一例である。
この清掃体１００は、一回使用を目安とした使い捨てタイプのものや、清掃対象の被清掃面から除去したごみや埃を保持しつつ複数回の使用を目安として交換を行う使い捨てタイプのものであってもよいし、或いは洗濯などを行ったうえで繰り返し使用することが可能なタイプのものであってもよい。
【００３８】
清掃シート１００は、基部１２０と、繊維集合体１１０と、基部１２０と繊維集合体１１０ＧＦとを接合する積層体接合部１４０とからなる刷毛シート１１１により形成される。
この基部１２０が、本発明に係る「基部」の一例である。この繊維集合体１１０ＧＦが、本発明に係る「繊維集合体」の一例である。この積層体接合部１４０が、本発明に係る「積層体接合部」の一例である。この刷毛シート１１１が、本発明に係る「刷毛シート」の一例である。
【００３９】
基部１２０の一方の面には、繊維集合体１１０ＧＦが配置される。
繊維集合体１１０ＧＦは、汚れ捕集機能を有する刷毛部１１０を形成する。
繊維集合体１１０ＧＦは、繊維１１０ＳＦの集合体により形成される。この発明において、繊維１１０ＳＦとは、典型的な繊維による単一の繊維構造体や、典型的な繊維が長さ方向および／または径方向にそろった繊維構造体（撚糸、紡績糸、複数の長繊維が部分的に接続された糸材など）、ないし当該繊維構造体の集合体とされる。ここで「典型的な繊維」とは、糸、織物などの構成単位であり、太さに比して十分な長さを持つ、細くてたわみやすい形態のものである。典型的には長い連続状の繊維が長繊維（フィラメント）とされ、短い繊維が短繊維（ステープル）とされる。
繊維１１０ＳＦは熱可塑性繊維を一部に含み、それぞれの繊維１１０ＳＦが融着（「溶着」ともいう）可能とされている。
繊維集合体１１０ＧＦは、所定の繊維配向方向１１０Ｄにて並列に並べられるとともに、厚み方向Ｚに積層された複数の繊維１１０ＳＦにより形成される。本発明の実施形態において、繊維配向方向１１０Ｄは、長手方向Ｙと概ね合致する。一方、繊維１１０ＳＦは柔軟な素材であるため、容易に屈曲、変形される。よって、繊維１１０ＳＦの繊維配向方向１１０Ｄとは、製品の設計上における繊維配向性のことを示すものである。
【００４０】
繊維集合体１１０ＧＦは、所定の平面や曲面による面構造を有するとともに、ある程度の厚みを有する立体形状として、或いは薄肉シート形状として構成されるのが好ましい。繊維集合体１１０ＧＦは、典型的にはポリエチレン（ＰＥ）、ポリプロピレン（ＰＰ）、ポリエチレンテレフタレート（ＰＥＴ）、ナイロン、レーヨンなどを材質とし、実用上はトウを開繊することによって得られる長繊維（フィラメント）の集合体が用いられることが好ましい。特には、芯部分がポリプロピレン（ＰＰ）或いはポリエチレンテレフタレート（ＰＥＴ）であり、この芯部分の外面を覆う鞘部分がポリエチレン（ＰＥ）の複合繊維を用いて繊維集合体１１０ＧＦが構成されるのが好ましい。また、この繊維集合体１１０ＧＦを形成する繊維の繊度１１０ＳＦは、１〜５０ｄｔｅｘのものが好ましく、更には２〜１０ｄｔｅｘのものが好ましい。また、各繊維集合体は概ね同様の繊度の繊維から構成されてもよいし、或いは各繊維集合体が異なる繊度の繊維を含む構成であってもよい。
【００４１】
また、清掃時の汚れ捕集機能を向上させるために、繊維集合体１１０ＧＦには、油剤が供給される。この油剤は、流動パラフィンを主成分とする。
また、清掃時の掃き出し機能を向上させるためには、剛性の高い繊維１１０ＳＦ、すなわち繊度が高い繊維１１０ＳＦを含む繊維集合体１１０ＧＦを用いるのが好ましい。また、繊維集合体１１０ＧＦは、捲縮繊維を有する構成されるのが好ましい。ここでいう捲縮繊維は、周知の捲縮処理が付与された繊維として構成され、繊維同士が絡み易い構造とされる。このような捲縮繊維を用いると、繊維集合体１１０ＧＦが清掃体ホルダ２００装着前の状態よりも嵩高となり、更に捲縮部分にごみを取り込み易い構造とされる。本構造は、特にトウ繊維から形成された捲縮繊維を用いることによって実現され得る。
【００４２】
基部１２０は、不織布により構成される。基部１２０を構成する不織布は、いずれも典型的には熱溶融性繊維（熱可塑性繊維）からなるシート状の不織布が使用されている。すなわち、基部１２０は、「不織布シート」とも称呼される。なお、清掃時の掃き出し機能を向上させるためには、剛性の高い不織布を用いるのが好ましい。
なお、この不織布は、ポリエチレン（ＰＥ）、ポリプロピレン（ＰＰ）、ポリエチレンテレフタレート（ＰＥＴ）等の合成繊維が使用される。また、不織布の形態としては、エアースルー法や、スパンボンド法により形成されたものが使用される。
一方、不織布以外であっても、布帛や、合成樹脂によるフィルム体などを使用することもできる。
【００４３】
図１０に示すように、基部１２０と繊維集合体１１０ＧＦは、積層体接合部１４０により接合される。積層体接合部１４０は、長手交差方向Ｘに概ね沿った方向にて連続して延ばされ、基部１２０と繊維集合体１１０ＧＦとを接合する。なお、積層体接合部１４０は、長手方向Ｙにおいて間隔を空けて設けられている。この隣り合う積層体接合部１４０同士の間における繊維集合体１１０ＧＦにおいて、清掃対象の塵芥が捕捉される。
【００４４】
積層体接合部１４０は、熱による溶着により形成されている。
一方、本発明に係る積層体接合部１４０は、超音波溶着、縫製、ホットメルト接着剤などによる粘着剤にて形成することも可能である。
【００４５】
清掃シート１００は、刷毛シート１１１の長手方向Ｙにおける所定の面同士を当接させ第１の当接領域１１１Ｙを形成するとともに、第１の当接領域１１１Ｙにおける所定の面同士が接合されている。この第１の当接領域１１１Ｙが、本発明に係る「第１の当接領域」の一例である。なお、第１の当接領域１１１Ｙの所定の面同士が接合され、第１の当接領域接合部１１１Ｙ１が形成される。
清掃シート１００は、刷毛シート１１１の長手交差方向Ｘにおける所定の面同士を当接させ第２の当接領域１１１Ｘを形成するとともに、第２の当接領域１１１Ｘにおける所定の面同士が接合されている。この第２の当接領域１１１Ｘが、本発明に係る「第２の当接領域」の一例である。なお、第２の当接領域１１１Ｘの所定の面同士が接合され、第２の当接領域接合部１１１Ｘ１が形成される。この当接領域接合部１１１Ｘ１により、閉鎖部１３２が形成される。
この第１の当接領域接合部１１１Ｙ１と、第２の当接領域接合部１１１Ｘ１とにより、清掃シート１００は袋状に形成される。
【００４６】
清掃シート１００を構成する刷毛シート１１１は、第１の刷毛シート１１１１と第２の刷毛シート１１１２とからなる。この第１の刷毛シート１１１１が、本発明に係る「第１の刷毛シート」の一例である。この第２の刷毛シート１１１２が、本発明に係る「第２の刷毛シート」の一例である。
すなわち、清掃シート１００は、第１の刷毛シート１１１１と第２の刷毛シート１１１２の長手方向Ｙにおける所定の面同士を当接させ第１の当接領域１１１Ｙを形成する。そして、この第１の当接領域１１１Ｙを接合し、第１の当接領域接合部１１１Ｙ１を形成する。
また、清掃シート１００は、第１の刷毛シート１１１１と第２の刷毛シート１１１２の長手交差方向Ｘにおける所定の面同士を当接させ第２の当接領域１１１Ｘを形成する。そして、この第１の当接領域１１１Ｘを接合し、第２の当接領域接合部１１１Ｘ１を形成する。
【００４７】
（清掃体ホルダと清掃体の係合）
次に図１１、図１２を参照しつつ、清掃体ホルダ２００と清掃体１００の係合について説明する。なお、説明の便宜上、図１１においては清掃体１００を刷毛シート１１１としてのみ図示する。図１１に示すように、清掃体保持部２２０は保持空間１３０に挿入が可能とされている。清掃体保持部２２０が挿入方向Ｙ１に沿って保持空間１３０に挿入されることで、清掃体１００が清掃体ホルダ２００に保持される。一方、係合している清掃体ホルダ２００と清掃体１００とを分離するためには、清掃体ホルダ２００を、引抜方向Ｙ２に沿って保持空間１３０から引き抜く。
【００４８】
（作用）
次に、本発明に係る作用につき説明する。
まず、製造者が製品を販売する場合には、清掃体ホルダ２００を、ハンドル部２１０と清掃体保持部２２０とに分離する。さらに、清掃体保持部２２０を、ヒンジ部２６０を介して第１の外郭体２４１と第２の外郭体２４２とに分離する。よって、製造者が製品のパッケージを小型化することができる。
【００４９】
ユーザが使用する場合には、ハンドル部２１０と清掃体保持部２２０を組み立て、清掃体ホルダ２００を形成する。そして、清掃体保持部２２０に清掃体１００を装着する。
そして、ハンドル部２１０を操作し、清掃体１００を清掃対象に当接させる。この際、清掃体保持部が弾性を有する弾性体２３０により形成されている。そして、弾性体２３０は、全方向において弾性を有している。よって、ユーザは、清掃対象を傷つけることなく清掃作業を行うことができる。
【００５０】
なお、本発明は上記の実施の形態のみに限定されるものではなく、種々の応用や変形が考えられる。
以下、上記実施形態の変形例につき説明を行うが、上記実施形態における清掃用具Ａと同一の構成にあっては、同一の符号を付すとともにその説明を省略する。また、説明の便宜上、清掃体１００は刷毛シート１１１としてのみ図示する。
【００５１】
（第１の変形例）
第１の変形例に係る清掃体１０１を、図１３および図１４に基づき説明する。上述した実施形態に係る清掃体１００は、第１の刷毛シート１１１１と第２の刷毛シート１１１２により構成されていた。一方、清掃体１００は、単一の刷毛シート１１１のみにより形成することができる。
すなわち、刷毛シート１１１の長手方向Ｙの所定領域を折り返す。これにより、長手方向Ｙにおける所定の面同士を当接させ第１の当接領域１１１Ｙを形成する。そして、第１の当接領域１１１Ｙにおける所定の面同士を接合し、第１の当接接合部１１１Ｙ１を形成する。
そして、刷毛シート１１１の長手交差方向Ｘにおける所定の面同士を当接させ第２の当接領域１１１Ｘを形成する。そして、第２の当接領域１１１Ｘにおける所定の面同士を接合し、第２の当接接合部１１１Ｘ１を形成する。
これにより、開口部１３１と閉鎖部１３２との間に、保持空間１３０を有する清掃体１０１を形成することができる。
【００５２】
（第２の変形例）
第２の変形例に係る清掃体１０１を、図１５および図１６に基づき説明する。第２の変形例に係る清掃体１０２は、上述した第１の変形例に係る清掃体１０１と同様に、単一の刷毛シート１１１のみにより形成されるものである。
すなわち、刷毛シート１１１の長手交差方向Ｘの所定領域を折り返し、長手方向Ｙ上の端部同士を重ねる。この折り返された部分により、閉鎖部１３２が形成される。この重ねられた長手方向Ｙ上の端部により、開口部１３１が形成される。
そして、刷毛シート１１１の長手交差Ｙにおける所定の面同士を当接させ第１の当接領域１１１Ｙを２か所形成する。そして、第１の当接領域１１１Ｙにおける所定の面同士を接合し、第１の当接接合部１１１Ｙ１を形成する。
これにより、開口部１３１と閉鎖部１３２との間に、保持空間１３０を有する清掃体１０２を形成することができる。
【００５３】
なお、本発明の実施形態および変形例は、上述したものに限るものではない。上述した実施形態や各変形例に係る構成を適宜組み合わせることが可能である。また、さらなる形態を追加・変更することが可能である。
【００５４】
（実施の形態ないし実施例本発明の各構成要素の対応について）
清掃具Ａは、本発明に係る「清掃具」の一例である。清掃体１００、１０１、１０２は、本発明に係る「清掃シート」の一例である。清掃体ホルダ２００は、本発明に係る「保持具」の一例である。長手方向Ｙは、本発明に係る「長手方向」の一例である。長手交差方向Ｘは、本発明に係る「長手交差方向」の一例である。清掃体保持部２２０は、本発明に係る「保持部」の一例である。ハンドル部２１０は、本発明に係る「把持部」の一例である。把持係合部２１２は、本発明における「把持係合部」の一例である。保持係合部２２１は、本発明における「保持係合部」の一例である。弾性体２３０は、本発明に係る「弾性体」の一例である。外郭体２４０は、本発明に係る「外郭体」の一例である。第１の外郭体２４１は、本発明に係る「第１の外郭体」の一例である。第２の外郭体２４２は、本発明に係る「第２の外郭体」の一例である。外郭体接合部２５０は、本発明に係る「外郭体接合部」の一例である。第１の外郭体接合部２５１は、本発明に係る「第１の外郭体接合部」の一例である。第２の外郭体接合部２５２は、本発明に係る「第２の外郭体接合部」の一例である。ヒンジ部２６０は、本発明に係る「ヒンジ部」の一例である。係合部２７０は、本発明に係る「係合部」の一例である。基部１２０は、本発明に係る「基部」の一例である。繊維集合体１１０は、本発明に係る「繊維集合体」の一例である。積層体接合部１４０は、本発明に係る「積層体接合部」の一例である。刷毛シート１１１は、本発明に係る「刷毛シート」の一例である。第１の当接領域１１１Ｙは、本発明に係る「第１の当接領域」の一例である。第２の当接領域１１１Ｘは、本発明に係る「第２の当接領域」の一例である。第１の刷毛シート１１１１は、本発明に係る「第１の刷毛シート」の一例である。第２の刷毛シート１１１２は、本発明に係る「第２の刷毛シート」の一例である。
【００５５】
なお、本発明の実施形態および変形例は、上述したものに限るものではない。上述した実施形態や各変形例に係る構成を適宜組み合わせることが可能である。また、さらなる形態を追加・変更することが可能である。
【００５６】
以上の発明の趣旨に鑑み、本発明に係る清掃具は、下記の態様が構成可能である。
（態様１）
清掃シートと、前記清掃シートを保持する保持具とを有する清掃具において、
前記清掃具は、当該保持具を前記清掃シートに挿入する方向によって規定される長手方向と、前記長手方向と交差する方向によって規定される長手交差方向の双方に延在するように構成され、
前記清掃シートは、清掃対象を清掃可能に構成された刷毛部と、前記刷毛部が接続される基部と、当該基部に形成されて、前記保持部が挿入される挿入部とを有し、
前記保持具は、前記清掃シートを保持するために前記長手方向へ延びる保持部と、前記保持部に連結されてユーザに把持される把持部とを有し、
前記保持部は、弾性を有する弾性体により形成され、当該弾性体は、全方向において弾性を有することを特徴とする清掃具。
（態様２）
態様１に記載された清掃具において、
前記弾性体は、外郭体により形成され、当該外郭体は弾性を有する合成樹脂により形成されていることを特徴とする清掃具。
（態様３）
態様１または２のいずれか１項に記載された清掃具において、
前記外郭体は、第１の外郭体と第２の外郭体とを有し、前記第１の外郭体と前記第２の外郭体とは、外郭体接合部により接合されることを特徴とする清掃具
（態様４）
態様３に記載された清掃具において、
前記外郭体接合部は、前記第１の外郭体と前記第２の外郭体とにおける一方の端部同士を接合する第１の外郭体接合部と、前記第１の外郭体と前記第２の外郭体とにおける他方の端部同士を接合する第２の外郭体接合部とにより形成されることを特徴とする清掃具。
（態様５）
態様４に記載された清掃具において、
前記第１の外郭体接合部は、前記第１の外郭体と前記第２の外郭体とにおける前記一方の端部同士を連結するヒンジ部により形成されることを特徴とする清掃具。
（態様６）
態様４または５のいずれか１項に記載された清掃具において、
前記第２の外郭体接合部は、前記第１の外郭体と前記第２の外郭体とにおける前記他方の端部同士を係合する係合部により形成されることを特徴とする清掃具。
（態様７）
態様１〜６のいずれか１項に記載された清掃具において、
前記外郭体は、網目状の構造を有することを特徴とする清掃具。
（態様８）
態様１〜６のいずれかに１項に記載された清掃具において、
前記外郭体は、発泡体により形成されていることを特徴とする清掃具。
（態様９）
態様１〜８のいずれか1項に記載された清掃具において、
前記外郭体は、中空構造であることを特徴とする清掃具。
（態様１０）
態様１〜９のいずれか１項に記載された清掃具において、
前記把持部には把持係合部が形成され、
前記保持部には保持係合部が形成され、
前記把持係合部と前記保持係合部とは互いに係合することを特徴とする清掃具。
（態様１１）
態様１〜１０に記載された清掃具において、
前記清掃シートは、基部と、繊維集合体と、前記基部と前記繊維集合体とを接合する積層体接合部とからなる刷毛シートにより形成されることを特徴とする清掃具。
（態様１２）
態様１１に記載された清掃具において、
前記清掃シートは、前記刷毛シートの長手方向における所定の面同士を当接させ第１の当接領域を形成するとともに、当該第１の当接領域における前記所定の面同士を接合することにより形成されることを特徴とする清掃具。
（態様１３）
態様１１または１２のいずれか１項に記載された清掃具において、
前記清掃シートは、前記刷毛シートの長手交差方向における所定の面同士を当接させ第２の当接領域を形成するとともに、当該第２の当接領域における所定の面同士を接合することにより形成されることを特徴とする清掃具。
（態様１４）
態様１１に記載された清掃具において、
前記清掃シートを構成する刷毛シートは、第１の刷毛シートと第２の刷毛シートとからなることを特徴とする清掃具。
（態様１５）
態様１４に記載された清掃具において、
前記清掃シートは、前記第１の刷毛シートと前記第２の刷毛シートの長手方向における所定の面同士を当接させ前記第１の当接領域を形成することを特徴とする清掃具。
（態様１６）
態様１４に記載された清掃具において、
前記清掃シートは、前記第１の刷毛シートと前記第２の刷毛シートの長手交差方向における所定の面同士を当接させ前記第２の当接領域を形成することを特徴とする清掃具。
（態様１７）
態様１〜１６に記載された清掃具において、前記挿入部が円筒形状であることを特徴とする清掃具。
【符号の説明】
【００５７】
Ａ  清掃具
１００  清掃シート（清掃体）
１００Ｙ１  長手方向上の端部
１００Ｙ２  長手方向上の端部
１００Ｘ  長手交差方向上の端部
１１０  刷毛部
１１０ＧＦ  繊維集合体
１１０ＳＦ  繊維
１１０Ｄ  繊維配向方向
１１１  刷毛シート
１１１Ｙ  第１の当接領域
１１１Ｙ１  第１の当接領域接合部
１１１Ｘ  第２の当接領域
１１１Ｘ１  第２の当接領域接合部
１１１１  第１の刷毛シート
１１１２  第２の刷毛シート
１２０  基部
１２０Ｙ  長手方向上の端部
１２０Ｘ  長手交差方向上の端部
１２０Ｚ１  一方の面（一方の側）
１２０Ｚ２  他方の面（他方の側）
１３０  挿入部（保持空間）
１３１  開口部
１３２  閉鎖部
１４０  積層体接合部
２００  清掃体ホルダ（保持部）
２１０  ハンドル部（把持部）
２１１  ハンドル
２１２  把持係合部
２２０  清掃体保持部（保持部）
２２１  保持係合部
２３０  弾性体
２４０  外郭体
２４１  第１の外郭体
２４１Ａ  一方の端部
２４１Ｂ  他方の端部
２４２  第２の外郭体
２４２Ａ  一方の端部
２４２Ｂ  他方の端部
２５０  外郭体接合部
２５１  第１の外郭体接合部
２５２  第２の外郭体接合部
２６０  ヒンジ部
２６１  薄肉部
２７０  外郭体係合部
２７０Ａ  円柱部材
２７０Ａ１  連結部
２７０Ｂ  係合部材
２７０Ｂ１  連結部
Ｙ  長手方向
Ｘ  長手交差方向
Ｚ  厚み方向
Ｆ  外力
【図１】
2014150974.tif 000003
【図２】
2014150974.tif 000004
【図３】
2014150974.tif 000005
【図４】
2014150974.tif 000006
【図５】
2014150974.tif 000007
【図６】
2014150974.tif 000008
【図７】
2014150974.tif 000009
【図８】
2014150974.tif 000010
【図９】
2014150974.tif 000011
【図１０】
2014150974.tif 000012
【図１１】
2014150974.tif 000013
【図１２】
2014150974.tif 000014
【図１３】
2014150974.tif 000015
【図１４】
2014150974.tif 000016
【図１５】
2014150974.tif 000017
【図１６】
2014150974.tif 000018